(57)【要約】      （修正有）【課題】紛失したり散逸したりするフロア畳のスりップ止めにおいて、フロア畳と常に一体としても、梱包のとき等にその跡が付かないようにする。【解決手段】裏面に空気不通化性のフイルムを貼り、その上に止め付けた吸盤機能を有するスりップ止めを一体として販売するフロア畳Ａにおいて、スりップ止めを軟質な容袋９に収納するとともに、容袋とフロア畳の裏面の縁近くに取り付けられた柔軟な品質表示ラベル１０とを可撓性のある連結紐１１で結び、フロア畳を立て掛ける展示時には、容袋を頂上の端面を乗り越えさせて表面に垂れ下がらせ、水平にして積み重ねる横置きの展示時には、容袋を下方に垂れ下がらせておく。【選択図】図４
2017039501.tif 000002
【特許請求の範囲】
【請求項１】
裏面に空気不通化性のフイルムを貼り、その上に止め付けた吸盤機能を有するスりップ止めを一体として販売するフロア畳において、スりップ止めを軟質な容袋に収納するとともに、容袋とフロア畳の裏面の縁近くに取り付けられた柔軟な品質表示ラベルとを可撓性のある連結紐で結び、フロア畳を立て掛ける展示時には、容袋を頂上の端面を乗り越えさせて表面に垂れ下がらせ、水平にして積み重ねる横置きの展示時には、容袋を下方に垂れ下がらせておくことを特徴とするスリップ止めを一体として販売するフロア畳。
【請求項２】
裏面に空気不通化性のフイルムを貼り、その上に止め付けた吸盤機能を有するスりップ止めを一体として販売するフロア畳において、スりップ止めを軟質な容袋に収納するとともに、フロア畳の表面の縁近くに容袋を樹脂のピンで打ち付け、フロア畳を立て掛ける展示時には、容袋をそのまま下方に垂れ下がらせ、水平にして積み重ねる横置きの展示時には、容袋をピンで打ち付けた止着部の端を折り曲げて端面の外側を通して下方に垂れ下がらせておくことを特徴とするスリップ止めを一体として販売するフロア畳。
【請求項３】
容袋にフロア畳の使用方法や商品説明が印刷されており、中にスリップ止めが一つ又は複数個収納されている請求項１又は２のスリップ止めを一体として販売するフロア畳。
【請求項４】
請求項１〜３いずれかのスリップ止めを一体として販売するフロア畳の梱包方法であり、フロア畳を立てらせて何枚か連接し、連接したフロア畳の端面の上に容袋を重ねて載せ、全体をタイトなボックスの中に収納したことを特徴とするスリップ止めを一体として販売するフロア畳の梱包方法。
【発明の詳細な説明】
【技術分野】
【０００１】
本発明は、位置ずれを防ぐスリップ止めを一体として販売するフロア畳及びこのフロア畳の効果的な梱包方法に関するものである。
【背景技術】
【０００２】
最近は畳といっても、昔のような本格的な敷設作業を必要とせず、単にフローリングの上に直接敷き並べればよいものが多い。大きさは半畳のものが多いが、厚みは昔のように５〜６cmから２０mm以下のものもあり、構造も樹脂品を使用する等、薄くて軽量にできている。ところで、フロア畳は必要に応じてフロア上に集積して部分的に敷かれることから、外力のかかりようによっては各ピースの位置がずれる(スリップする)ことがある。このため、何らかのスリップ止めが必要になる。
【０００３】
スリップ止めとしては、シリコンゴム等の摩擦係数の高い部材をフロア畳の裏面に取り付けることであるが、スリップ止めとフロア畳との固定が問題となる。一番手っ取り早いのは、吸盤機能を有するものをスリップ止めとしてフロア畳の裏面に貼り付けることであるが、これではフロア畳を通過した空気がスリップ止めとの間に入り、吸盤機能が失われる。このため、接着剤等を必要としていたが、接着材を使うとフロア畳やフロアを汚すおそれがあった。この他、フロア畳同士をテープ等で連結しているものもあるが、固定力は十分ではないし、全体がずれるということもある。
【０００４】
もう一つの問題として、スリップ止めとフロア畳とは別売り、別扱いの商品としていたことである。これによると、取り扱いが煩わしく、散逸や紛失が起こっていた。これを防ぐには、スリップ止めをフロア畳に取り付けて流通から販売まで常に一体で取り扱うことであるが、これには問題がある。それは、輸送等における梱包の問題である。スペースを取らない効果的な梱包のためには、フロア畳を立てらせて何枚か密着して連接し、これをタイトなボックスに収納する必要があるが、こうすると、スリップ止めがフロア畳の間に入り、フロア畳の表面及び裏面の一部が凹んだりするし、スリップ止めが押し潰されて用をなさないこともある。
【発明の概要】
【０００５】
本発明は、スリップ止めを畳に取り付けて常に一体で取り扱えること、梱包に際して何枚か連接した畳をタイトなボックスに収納しても、スリップ止めが畳の間に入らないようにしたものである。
【課題を解決するための手段】
【０００６】
以上の課題の下、本発明は、請求項１に記載した、裏面に空気不通化性のフイルムを貼り、その上に止め付けた吸盤機能を有するスリップ止めを一体として販売するフロア畳において、スリップ止めを軟質な容袋に収納するとともに、容袋とフロア畳の裏面の縁近くに取り付けられた柔軟な品質表示ラベルとを可撓性のある連結紐で結び、フロア畳を立て掛ける展示時には、容袋を頂上の端面を乗り越えさせて表面に垂れ下がらせ、水平にして積み重ねる横置きの展示時には、容袋をそのまま下方に垂れ下がらせておくことを特徴とするスリップ止めを一体として販売するフロア畳を提供したものである。
【０００７】
また、本発明は、請求項２に記載した、裏面に空気不通化性のフイルムを貼り、その上に止め付けた吸盤機能を有するスリップ止めを一体として販売するフロア畳において、スリップ止めを軟質な容袋に収納するとともに、フロア畳の表面の縁近くに容袋を樹脂のピンで打ち付け、フロア畳を立て掛ける展示時には、容袋をそのまま下方に垂れ下がらせ、水平にして積み重ねる横置きの展示時には、容袋をピンで打ち付けた止着部の端を折り曲げて端面の外側を通して下方に垂れ下がらせておくことを特徴とするスリップ止めを一体として販売するフロア畳を提供する。
【０００８】
さらに、本発明は、以上のフロア畳の梱包方法において、請求項４に記載した、フロア畳を立てらせて何枚か連接し、連接したフロア畳の端面の上に容袋を重ねて載せ、全体をタイトなボックスの中に収納したことを特徴とするスリップ止めを一体として販売するフロア畳の梱包方法を提供する。
【発明の効果】
【０００９】
請求項１の発明によると、スリップ止めを軟質な容袋に収納するとともに、容袋とフロア畳の裏面の縁近くに取り付けられた柔軟な品質表示ラベルとを可撓性のある連結紐で結んだものであるから、スリップ止めとフロア畳とを常に一体で取り扱え、紛失や散逸が起こらない。このとき、スリップ止め、容袋、連結紐はいずれも可撓性があるから、フロア畳の取扱い時に自由に姿態を変えられるし、販売等における展示時にもスリップ止めをアピールできる姿態にできる。加えて、フロア畳の裏面には空気不通化性のフィルムを貼ったことでスリップ止めが強固に固定されるとともに、吸盤機能が保持され、フロア畳がフロアの上で動かない。
【００１０】
請求項２の発明によると、容袋の固定には樹脂のピンを必要とするが、展示のときの姿態の自由は確保できる。本発明のものは、品質表示ラベルや連結紐を必要とせず、部品点数を減らせてコストを安くできる。請求項４の発明によると、スリップ止めをフロア畳と一体化しても、従来どおりのコンパクトな梱包ができ、併せてスリップ止めをフロア畳の表面から外しておくことができるから、間に挿入されて跡を付け、商品形態を低下させることはない。
【図面の簡単な説明】
【００１１】
【図１】フロア畳の表面図である。
【図２】フロア畳の裏面図である。
【図３】容袋とフロア畳の関係を示す斜視図である。
【図４】フロア畳を連接して梱包ボックスに収納するときの斜視図である。
【図５】容袋とフロア畳の関係を示す別例の斜視図である。
【図６】フロア畳を連接して梱包ボックスに収納するときの別例の斜視図である。
【図７】別例のスリップ畳を取り付けたフロア畳の展示の状態を示す側面図である。
【図８】スリップ止めの斜視図である。
【図９】スリップ止めを取り付けたフロア畳の断面図である。
【発明を実施するための形態】
【００１２】
以下、本発明の実施の形態を図面を参照して説明する。まず、図３に基づいてこのフロア畳(以下、単に畳と称す)Ａの構成を説明しておくと、表面側から表装１、表面側フィルム２、表面側クラフト紙３、畳床４、裏面側クラフト紙５、裏面側フィルム６で構成されている。これにおいて、表装１は装飾のためのもので、イ草、不織布、紙等で構成されている。表面側及び裏面側フィルム２、６はポリプロピレン(Ｂ０ＰＰ)等からなり、空気の透過を防ぐものであって、特に裏面側フィルム６の不通気性が重要な意味をもつ。クラフト紙３、５はコート紙とも呼ばれ、畳床４のうねりを矯正する作用がある。畳床４はポリエチレン(ＥＰＥ)等からなり、基材となる芯材である。
【００１３】
これらの厚み、規格であるが、表装１は３〜４mm、表面側及び裏面側フィルム２、６は０．０２５mm、表面側及び裏面側クラフト紙３、５は０．１７〜０．１９mm、畳床４は１１．５〜１２．５mm程度に設定されており、全体の厚みも２０mm程度である。ただ。これらの数値は一例を示すものであって、これに限定されるものではない。本例の畳床４は専用の物ではなく、物が傷付くのを防ぐカバー材等に使用されている厚み５mm程度の市販のポリエチレンシートを何枚か重ねて使用している。こうすることでコストを下げることができる。なお、サイズは８２０mm平方の半畳のものが多いが、この他のサイズのものもある。さらに、周囲には縁７が縫い付けられているが、これがないものもある。
【００１４】
これら畳Ａをフローリングの所望の個所に敷いて畳の間にするが、用が済めば片付けて仕舞うのが特徴である。この畳Ａの敷設は４．５畳なら９枚集積して敷くが、枠等を設けないのが普通である。一方で、全ピースを連結して一体化するというのも難しい。したがつて、各ピースの固定力が十分ではなく、人の足等が当たったとき、各ピースは位置がずれて全体の姿を崩してしまう。
【００１５】
そこで、本発明は、裏面に不通気性のフィルム６を貼り、その上に図７に示すシリコンゴム等の粘着性があるスリップ止め８を止め付ける。このフィルム６がないと、畳床４とスリップ止め８との間に自由に空気が入って吸盤機能を保持することができず、スリップ止め８が外れ、結果として畳Ａの各ピースの位置がずれる。この意味から、図８に示すようにスリップ止め８には吸盤機能を発揮させ易いように表面に溝や凹み８ａを形成しておくのが好ましい。なお、サイズは１００mm×４０mm程度で、厚みは３〜６mm程度が適し、これをバランスよく裏面に４〜５個程度止め付ける。これによると、滑り止めの施工が非常に簡単になる。
【００１６】
ところで、以上のスリップ止め８であるが、その製品形態から畳Ａとは別売りにしていた。そうすると、取扱いが煩雑になるし、散逸や紛失が生ずるのは上述したとおりである。このため、流通や保管、販売に際して常に一体にしておくのが好ましい。そこで、本発明の第一例では、図１及び図２に示すようにスリップ止め８をポリエチレン等の軟質な素材でできた容袋９に所要個収納し、この容袋９を畳Ａに取り付けられる合成皮革や布等の家庭用品品質表示法上の品質表示ラベル１０と所定の長さを有して可撓性のある連結紐１１で連結するのである。
【００１７】
こうすることで、スリップ止め８と畳Ａとは分離することなく常に一体になり、散逸や紛失するおそれがない。なお、流通、保管、販売に際してこれら相互の関連姿態を変える必要があるが、品質表示ラベル１０は合成皮革等で構成されて柔軟性があること、容袋９は軟質な素材でできていること、連結紐１１は可撓性があることで、すべてその姿態を変更できる。一方、第二例では、図５に示すように容袋９の上部を畳Ａの裏面の縁７等に樹脂製のピン１２等を用いて直接打ち付けるのである。このピン１２の打ち込み器具については、靴下のラベル等によく使用されている刺し通したピン１２の両端に抜け止めが張られるものであり、商品名ＢＡＮＯＫとして市販されているから、それを使用すればよい。
【００１８】
次に、販売等に際しての商品展示について説明しておくと、展示には、図１〜図３に示すように立て掛けての展示と、図５及び図７に示すように台１３等の上に水平に載せる横置きの展示とがあるが、いずれも客側に表面を向ける。立て掛けての展示の第一例の場合、品質表示ラベル１０は通常目につき難い裏面側に取り付けられているから、展示のときにはこれにスリップ止め８を収納した容袋９を連結紐１１で結び、畳Ａの頂上の端面１４を乗り越えさせて表面にぶら下げておくことになる。
【００１９】
したがって、容袋９や連結紐１１はこれができる長さにしておく。なお、容袋９には製品の特徴や使用方法といった説明書きを印刷しておけば客にとつて便利である。一方、第二例では、立て掛けての展示のときにはそのまま下方に垂れ下がらせておけばよいし、横置きの展示のときにはピン１２で打ち付けた容袋９の上部の止着部１５の端を折り曲げて端面１４の外側を通して下方に垂れ下がらせておけばよい。
【００２０】
ところで、スリップ止め８を容袋９に入れてこのように畳Ａに取り付ける最大の利点は輸送等に際しての梱包においてである。梱包を効果的にするには、畳Ａを立てた状態で何枚か密着して連接し、これをタイトなボックス１６に収納することである。第一例の場合、容袋９が畳Ａの裏面に沿って存在するから、これを密着して連接したりすると、各々の表面及び裏面にスリップ止め８を収納した容袋９が入り込んで跡が付き、製品形態を低下させる。そこで、図４に示すように、連接するときに容袋９を畳Ａの端面１４に載せ架けて面から外しておくのである。品質表示ラベル１０や連結紐１１が自由に曲がることからこれが可能である。ただ、畳Ａを連接すると、品質表示ラベル１０も間に挟まるが、品質表示ラベル１０は端の縁７の部分に挟まって厚みも薄いから大しことはない。なお、図示ではわかり易くするために容袋９を一枚ずつずらせているが、真上に積重すればよい。
【００２１】
このとき、容袋９の幅が連接した畳Ａの端面１４より狭いと、タイトなボックス１６に収納しても容袋９の端がはみ出さず、ボックス１６が当たって折れたりしない。ただ、これによると、容袋９の幅は非常に制限されたものになる。しかし、通常は、畳Ａは何枚か連接するのであるから、端面１４の幅はその分広がり、容袋９の幅を十分なものにできるし、少々斜めに載せ架けてもよい。これによると、ボックス１６のサイズを限定的にでき、梱包の確実さとコストの節約になる。この場合、重ねた容袋９や中に入っているスリップ止め８の厚みが厚いときは、ボックス１６の蓋１６aの高さをこれを考慮したものにしておく。
【００２２】
図６は第二例を示す容袋９の取り付けと端面１４への載せ架けを示す斜視図であるが、本例のものは、容袋９を品質表示ラベル１０に取り付けないこと、連結紐１１を使用しないのが特徴であり、これらの代わりにピン１２を使用するのである。本例のものも、販売時の商品展示の形態は立て掛けておくものと横置きのものとがあるが、スリップ止め８を入れた容袋９の扱いも基本的には第一例と変わらない。立て掛けておく場合には容袋９をそのまま垂れ下がらせておけばよいし、台１３等の上に横置きする場合は止着部１５の端を折り曲げて端面１４の外側を通して下方に垂れ下がらせておけばよい。
【００２３】
梱包のときに容袋９を畳Ａの端面１４に重ねて載せ架けておくことは、第二例も変わらない。ただ、畳Ａに対する容袋９の取り付け方が違うので、その点で若干違う。本例では、それぞれの容袋９を連接した畳Ａの端面１４の上に重ねて載せ架けるとき、容袋９を畳Ａの向きと直角に向けるのが容袋９に皺や折りを作らせない点で適する。図６で説明すると、今、容袋９を取り付けた畳Ａの裏面を向う側にして連接するとすれば、向うの端の畳Ａの容袋９は表面側である手前側の止着部１４の端から折って更に向う側に流す。以下、この操作を順に手前側の畳Ａの容袋９について行って向こう側に流した容袋９の上に重ねて行く。すると、一番手前の畳Ａの容袋９は連接された畳Ａの端面１４には載っても、一番奥の畳Ａの容袋９は端面１４からはみ出す。  
【００２４】
そこで、このセットを二組作り、各セットを向い合せにして連接するのである(各セットで連接数は原則として同じにする)。したがって、端からはみ出た容袋９のグループは新しく連接されたセットの端面１４の上に載る。このとき、容袋９は辺の偏った個所に存在するから、あるセットの容袋９が流れる方向の他のセットの端面１４には何も存在せず、容易に載せることができる。つまり、あるセットではみ出た容袋９のグループの総長さＬが連接された他のセットの端面１４の幅Ｒより小さいと、容袋９はすべて端面１４の上に載り、はみ出さない。この関係は、畳Ａの厚さ、容袋９の長さ、畳Ａのセットとする連接数によることから、これらを適宜に設定すればよい。本例のものは、部品数がすくなくて済むから、コストが安くなるのが利点である。
【符号の説明】
【００２５】
１  表装
２  表面側フィルム
３  表面側クラフト紙
４  畳床
５  裏面側クラフト紙
６  裏面側フィルム
７  縁
８  スリップ止め
８a スリップ止めの溝や凹み
９  容袋
１０  品質表示ラベル
１１  連結紐
１２  ピン
１３  台
１４  畳の端面
１５  止着部
１６  ボックス
１６a  ボックスの蓋
Ａ    フロア畳
Ｌ    第二例における畳の端面からはみ出た容袋の総長さ
Ｒ    接重された畳のセットの端面の幅
【図１】
2017039501.tif 000003
【図２】
2017039501.tif 000004
【図３】
2017039501.tif 000005
【図４】
2017039501.tif 000006
【図５】
2017039501.tif 000007
【図６】
2017039501.tif 000008
【図７】
2017039501.tif 000009
【図８】
2017039501.tif 000010
【図９】
2017039501.tif 000011